(57)【要約】エンボス部の形状を工夫することにより、タブへの指掛かり性を確保しつつ、引き起こし方向を可及的に蓋中心方向に作用させ得る易開封性の缶蓋を提供する。缶蓋本体に、スコア破断用のタブが固定され、前記タブの指掛かり部の後端近傍に指先が入るエンボス部を備えた缶蓋において、前記エンボス部の前記指掛かり部の後端側の斜面は、前記缶蓋中心に向かって少なくとも前記指掛かり部の裏面の幅方向中央部と対向する位置まで延びる指先誘導用の誘導凹部を備えていることを特徴とする。また、凸部の高さは、０．５ｍｍ〜１．２ｍｍの範囲に設定する。
2019194237.tif 000002
【特許請求の範囲】
【請求項１】
缶蓋本体に、スコア破断用のタブが固定され、前記タブの指掛かり部の後端近傍に指先が入るエンボス部を備えた缶蓋において、
前記エンボス部の前記指掛かり部の後端側の斜面は、前記缶蓋中心に向かって少なくとも前記指掛かり部の裏面の幅方向中央部と対向する位置まで延びる指先誘導用の誘導凹部を備えていることを特徴とする缶蓋。
【請求項２】
前記缶蓋中心と前記指掛かり部の中央を通る中心線を想定すると、前記誘導凹部の前記中心線に対して直交方向の幅が、前記缶蓋中心方向に向かって徐々に狭くなっている請求項１に記載の缶蓋。
【請求項３】
前記誘導凹部の底部は、前記エンボス部の底面から前記缶蓋中心方向に向かって徐々に浅くなる傾斜面で、前記エンボス部の前記缶蓋中心と反対側の斜面よりも傾斜角度が小さくなっている請求項１又は２に記載の缶蓋。
【請求項４】
前記エンボス部は、底面と、底面を取り囲む内周壁とを有し、前記内周壁は、缶蓋中心と反対側の第１斜面と、缶蓋中心側の第２斜面と第１斜面の両端を接続する側部斜面とを有し、前記一対の側部斜面は前記缶蓋中心側に向かって徐々に近づく方向に傾斜しており、前記誘導凹部の一部を構成する請求項１乃至３のいずれか１項に記載の缶蓋。
【請求項５】
前記缶蓋本体には、前記タブの指掛かり部の後端近傍でエンボス部を挟んで両側に凸部が設けられている請求項１乃至４のいずれか１項に記載の缶蓋。
【請求項６】
前記缶蓋本体には、前記タブの指掛かり部の後端近傍でエンボス部を挟んで両側に凸部が設けられ、
前記凸部のエンボス部側の斜面がエンボス部の側部斜面に連続する傾斜面となっている請求項４に記載の缶蓋。
【請求項７】
前記凸部の高さは、０．５ｍｍ以上１．２ｍｍ以下の範囲とする請求項５又は６に記載の缶蓋。
【請求項８】
前記凸部の頂点間の距離は、１３ｍｍ±２ｍｍの範囲とする請求項５乃至７のいずれか１項に記載の缶蓋。
【請求項９】
前記缶蓋本体は円形のセンターパネルを有し、該センターパネルは外周縁側の第１パネル面と、第１パネル面よりも内側で、第１パネル面の内周縁から段差部を介して一段低くなっている第２パネル面とを有し、
前記凸部は第１パネル面に設けられている請求項５乃至８のいずれか１項に記載の缶蓋。
【請求項１０】
前記エンボス部は、底面と、底面を取り囲む内周壁とを有し、前記内周壁は、缶蓋中心と反対側の第１斜面と、缶蓋中心側の第２斜面と第１斜面の両端を接続する側部斜面とを有し、前記第１斜面と側部斜面は、上端が第１パネル面まで続く傾斜面となっており、第２斜面は、上端が第２パネル面に続く傾斜面となっている請求項９に記載の缶蓋。
【請求項１１】
缶蓋本体に、スコア破断用のタブが固定され、前記タブの指掛かり部の後端近傍に指先が入るエンボス部を備えた缶蓋において、
前記缶蓋本体には、前記タブの指掛かり部の後端近傍で前記エンボス部を挟んで両側に凸部が設けられ、
前記凸部の高さは、０．５ｍｍ〜１．２ｍｍの範囲に設定されていることを特徴とする缶蓋。
【請求項１２】
前記凸部の頂点間の距離は、１３ｍｍ±２ｍｍの範囲とする請求項１１に記載の缶蓋。
【請求項１３】
前記缶蓋本体は円形のセンターパネルを有し、該センターパネルは外周縁側の第１パネル面と、第１パネル面よりも内側で、第１パネル面の内周縁から段差部を介して一段低くなっている第２パネル面とを有し、
前記凸部は第１パネル面に設けられている請求項１１又は１２に記載の缶蓋。
【発明の詳細な説明】
【技術分野】
【０００１】
本発明は、タブの開口性向上を図った易開封性の缶蓋に関する。
【背景技術】
【０００２】
従来の易開封性の缶蓋としては、たとえば、特許文献１に記載のようなものが知られている。すなわち、缶蓋本体に、スコア破断用のタブが固定されている。タブは、缶蓋中心に設けられたリベット部にて固定され、一端が開口予定部に重ねられ、他端が缶蓋の周縁付近まで延びている。開口予定部を開口する際には、タブの他端に位置する指掛かり部の後端に指を掛け、リベット部を支点として上方に引き起こすことにより、タブ先端部で缶蓋本体の開口予定部を下方に押圧し、リベット部とタブ先端部の間に位置するスコアの始端部に上下方向のせん断力を加えて初期破断し、開口予定部の周囲に沿ってスコアを順次破断して開口部を形成するようになっている。
特許文献１では、缶蓋本体には、タブの指掛かり部の後端近傍に、エンボス部が設けられ、エンボス部の底面と指掛かり部との間の間隔を大きくすることにより、指がタブの指掛かり部の後端に掛りやすくし、開口操作性が高められていた。特に、この特許文献１では、指掛かり部にチップアップ部を設け、さらにエンボス部の底面と指掛かり部との間隔を大きくしていた。
【先行技術文献】
【特許文献】
【０００３】
【特許文献１】特許第５７４１１９８号公報
【発明の概要】
【発明が解決しようとする課題】
【０００４】
しかしながら、特許文献１の缶蓋は、エンボス部及びチップアップ部によって、指掛かり性が良くなっているものの、指掛かり部の後端に掛けられた指のタブ短辺方向の可動域が大きいために、タブを引き起こす際に指が指掛かり部中央からずれ、タブに作用する力の方向が、蓋中心方向に対して、斜めに加わる場合があり、タブ先端部に作用する力が削がれ、開口不良となるおそれがある。
また、エンボス部やチップアップ部を設けると、指掛かり性がよくなるものの、缶蓋のパネル面との隙間が大きくなるために、缶蓋を巻締固定した缶体を積み重ねた際に、上位の缶体が傾いて缶底がタブの指掛かり部に引っ掛かり、開口してしまう不意開口が生じるおそれが高まる。
本発明の目的は、エンボス部の形状を工夫することにより、タブへの指掛かり性を確保しつつ、引き起こし方向を可及的に蓋中心方向に作用させ得る易開封性の缶蓋を提供することにある。
また、引き起こし方向を可及的に蓋中心方向に作用させることができ、かつ、不意開口の発生についても防止し得る易開封性の缶蓋を提供することにある。
【課題を解決するための手段】
【０００５】
上記目的を達成するために、本発明は、缶蓋本体に、スコア破断用のタブが固定され、
前記タブの指掛かり部の後端近傍に指先が入るエンボス部を備えた缶蓋において、
前記エンボス部の前記指掛かり部の後端側の斜面は、前記缶蓋中心に向かって少なくとも前記指掛かり部の裏面の幅方向中央部と対向する位置まで延びる指先誘導用の誘導凹部を備えていることを特徴とする。
本発明によれば、タブの指掛かり部の後端に指が掛かった後に、指先が誘導凹部によって指掛かり部の裏面の幅方向中央部側に誘導されるので、引き起こし方向を蓋体中心に向かって正確に引き起こすことができる。【０００６】
また、本発明は、次のように構成することができる。
１．前記誘導凹部の幅を、前記缶蓋中心方向に向かって徐々に狭くする。
このようにすれば、指先が自然と指掛かり部裏面の幅方向中央部に誘導される。
２．前記誘導凹部の底部は、前記エンボス部の底面から前記缶蓋中心方向に向かって徐々に浅くなる傾斜面で、前記エンボス部の前記缶蓋中心と反対側の斜面よりも傾斜角度が小さい。
このようにすれば、指先が徐々に持ち上がるにつれて、タブが引き起こされる。
３．前記エンボス部は、底面と、底面を取り囲む内周壁とを有し、前記内周壁は、缶蓋中心と反対側の第１斜面と、缶蓋中心側の第２斜面と第１斜面の両端を接続する側部斜面とを有し、前記一対の側部斜面は前記缶蓋中心側に向かって互いに徐々に近づく方向に傾斜しており、前記誘導凹部の一部を構成する。
このようにすれば、側部斜面は誘導凹部の一部として機能し、指先を指掛かり部裏面の幅方向中央部に誘導されやすくなる。
４．前記缶蓋本体には、前記タブの指掛かり部の後端近傍でエンボス部を挟んで両側に凸部が設けられている。
このようにすれば、指掛かり部の後端に対して、幅方向中央部以外からの指掛かりを防止でき、指または治具などによる斜め開口防止を図ることができる。加えて、缶同士の積み重ね等による不意開口防止を図ることができる。
５．特に、前記凸部のエンボス部側の斜面を、エンボス部の側部斜面に連続する傾斜面とする。
このようにすれば、指先が缶蓋中心方向からずれると、高さのある凸部の斜面に指が当たり、さらに誘導凹部に誘導されやすくなる。
６．前記凸部の高さは、０．５ｍｍ以上１．２ｍｍ以下の範囲とする。
すなわち、凸部を０．５ｍｍ程度以上の高さに設定すれば、タブの浮き上がりが生じる陽圧缶に使用した場合でも、不意開口が生じにくくなる。より好ましい範囲としては、０．７ｍｍ以上である。一方、凸部の高さは高いほど、不意開口の抑止効果は高くなるが、凸部の板厚の低下量が大きくなり、強度不足や、塗膜の切れ等、成形性に問題が生じる。１．２ｍｍ以下であれば、実用上問題の無いレベルに収まる。
７．前記凸部の頂点間の距離は、１３ｍｍ±２ｍｍの範囲とする。
このようにすれば、指掛け段階から、指が自然と誘導凹部に導かれ、指掛かり部の裏面中央に誘導される。
８．前記缶蓋本体は円形のセンターパネルを有し、該センターパネルは外周縁側の第１パネル面と、第１パネル面よりも内側で、第１パネル面の内周縁から段差部を介して一段低くなっている第２パネル面とを有し、前記凸部は第１パネル面に設けられている。
第１パネル面に設ければ、凸部の板厚の低下量を抑えることができ、第2パネル面よりも成形性の観点で有利となる。
９．前記エンボス部は第２パネル面の領域であって前記第１パネル面との段差部に近接して設けられる構成で、
また、前記エンボス部は、底面と、底面を取り囲む内周壁とを有し、前記内周壁は、缶蓋中心と反対側の第１斜面と、缶蓋中心側の第２斜面と第１斜面の両端を接続する一対の側部斜面とを有し、前記第１斜面と側部斜面は、上端が第１パネル面まで続く傾斜面となっており、第２斜面は、上端が第２パネル面に続く傾斜面となっている。
このようにすれば、エンボス部に入れた指先は、第２斜面側よりも高い第１斜面と側部斜面によって囲まれることになり、高さの低い第２斜面の誘導凹部に誘導されやすい。
また、他の発明は、
缶蓋本体に、スコア破断用のタブが固定され、前記タブの指掛かり部の後端近傍に指先が入るエンボス部を備えた缶蓋において、
前記缶蓋本体には、前記タブの指掛かり部の後端近傍で前記エンボス部を挟んで両側に凸部が設けられ、
前記凸部の高さは、０．５ｍｍ〜１．２ｍｍの範囲に設定されていることを特徴とする。
すなわち、凸部の０．５ｍｍ程度以上の高さに設定すれば、陽圧缶のように、内圧が作用して缶蓋が膨らみ、タブの浮き上がりが生じる場合でも、不意開口が生じにくくなる。より好ましくは、０．７ｍｍ以上である。一方、凸部の高さは高いほど、不意開口の抑止効果は高くなるが、凸部の板厚の低下量が大きくなり、強度不足や、塗膜の切れ等、成形性に問題が生じる。１．２ｍｍ以下であれば、実用上問題の無いレベルに収まる。
また、エンボス部を挟む凸部によって、指のタブ短辺方向の可動域が制限されるので、指先が指掛かり部の幅方向中央部に誘導され、タブの引き起こし方向を蓋中心方向に向けやすくなる。
また、この他の発明は、次のように構成することができる。
１．前記凸部の頂点間の距離は、１３ｍｍ±２ｍｍの範囲とする。
このようにすれば、指先が指掛かり部の幅方向中央部に誘導されやすくなる。
２．前記缶蓋本体は円形のセンターパネルを有し、該センターパネルは外周縁側の第１パネル面と、第１パネル面よりも内側で、第１パネル面の内周縁から段差部を介して一段低くなっている第２パネル面とを有し、
前記凸部は第１パネル面に設けられている。
第１パネル面に設ければ、凸部の板厚の低下量を抑えることができ、第2パネル面よりも成形性の観点で有利となる。
【発明の効果】
【０００７】
本発明によれば、タブの指掛かり部の後端に指が掛かった後に、指先が誘導凹部によって指掛かり部の裏面の幅方向中央部側に誘導されるので、引き起こし方向を蓋体中心に向かって正確に引き起こすことができる。
【図面の簡単な説明】
【０００８】
【図１】図１は本発明の実施の形態に係る缶蓋を示すもので、（Ａ）は平面図、（Ｂ）は（Ａ）の第２中心線Ｎに沿う要部拡大断面図、（Ｃ）は（Ｂ）のＣ−Ｃ線部分断面図である。
【図２】図２（Ａ）は、図１（Ａ）のエンボス部近傍に等高線を付した拡大平面図、（Ｂ）は（Ａ）のＢ−Ｂ線断面図、（Ｃ）は（Ａ）のＣ−Ｃ線断面図、（Ｄ）は（Ａ）のＤ−Ｄ線断面図である。
【図３】図３（Ａ）乃至（Ｃ）はタブの引き起こし動作の説明図である。
【図４】図４（Ａ）乃至（Ｃ）は、図３をタブの指掛かり部の後端から見た引き起こし動作の説明図、（Ｄ）は側部斜面の作用説明図である。
【図５】図５は評価試験用の缶体を示すもので、（Ａ）は第１種の缶体、図（Ｂ）は第２種の缶体を、それぞれ２段に重ねた状態を示す図である。
【図６】図６は、図５（Ａ）の第１の缶体の積載部分の要部拡大断面図である。
【図７】図７は、図５（Ｂ）の第２の缶体の積載部分の要部拡大断面図である。
【発明を実施するための形態】
【０００９】
以下に、本発明を図示の実施の形態に基づいて詳細に説明する。
図１は本発明の実施の形態に係る易開封性の缶蓋を示している。
すなわち、この易開封性の缶蓋は、飲み口となる開口予定部８を取り囲むスコア６が形成された缶蓋本体１と、缶蓋本体１に固定されるスコア破断用のタブ１０と、を備えている。
缶蓋本体１は、円形のセンターパネル２、センターパネル２の周縁から下方に突出するチャックウォールラジアス３、チャックウォールラジアス３の外側壁から立ち上がるチャックウォール４、及びチャックウォール４に連続して形成されたシーミングパネル５を有している。センターパネル２は、パネル周縁側の第１パネル面２１と、第１パネル面２１よりも内側で、第１パネル面２１よりも一段低いリセス部を構成する第２パネル面２２とを有し、第２パネル面２２は段差部２２ｂによって第１パネル面２１と区画されており、開口予定部８とタブ１０は、第２パネル面２２に配置されている。
【００１０】
タブ１０はステイオンタイプであり、円形のセンターパネル２のパネル中心Ｏ（缶蓋中心）に突設されたリベット部７に固定されている。開口予定部８は、センターパネル２のパネル中心Ｏを通る第１中心線Ｍで半分に区切った場合に、一方の半円領域に形成されるもので、スコア６は、リベット部７の近傍に始端部６ａがあり、開口予定部８の周縁を取り囲むように終端部６ｂまで延びている。タブ１０による開口は、始端部６ａが初期破断され、終端部６ｂに向けて開口される。
タブ１０は、略トラック形状に成形された板状部材で、長軸方向の一端が円弧状のタブ先端部１１、他端部が直線上の指掛かり部１３となっている。タブ１０は、パネル中心Ｏを通り第１中心線Ｍに対して直交する第２中心線Ｎに沿って配置され、タブ先端部１１がパネル中心Ｏを越え、さらにスコア６の始端部６ａを越えて開口予定部８側に重なっており、タブ１０の指掛かり部１３がパネル中心Ｏに対して開口予定部８とは反対側のセンターパネル２の周縁近くに配置されている。
タブ１０の指掛かり部１３は、第２中心線Ｎに対して直交方向に直線状に延びており、両端部がコーナー部１３ｃ，１３ｃを介してタブ１０の側辺部１６、１６に至る構成となっている。また、タブ１０には、指掛かり部１３に隣接して楕円状の孔１４が開口形成されており、この例では、指掛かり部１３は、後端１３ａと孔１４との間の狭い板状部分である。
タブ１０の外周縁には、図１（Ｂ）に示すように、タブ１０を構成する板材を下面側に折り返したカール部１７が全周に亘って形成されており、指掛かり部１３の後端１３ａのカール部１７は、第２中心線Ｎと直交方向の中央部が所定範囲だけ扁平に潰された扁平部２０となっている（図１（Ｃ）参照）。
センターパネル２の、指掛かり部１３の後端１３ａ近傍には、局部的に凹状に窪ませたエンボス部９が設けられ、さらに、エンボス部９の両側近傍に、凸部としてのディンプル３０、３０が、第２中心線Ｎに対して左右対称に配置されている。エンボス部９は第２パネル面２２の領域であって第１パネル面２１との段差部２２ｂに近接して設けられている。以下、エンボス部９とディンプル３０について詳細に説明する。
【００１１】
（エンボス部９の構成）
図２（Ａ）は、エンボス部９の近傍を拡大して示すもので、起伏状態を明確にするために、等高線を付している。等高線は、たとえば、円環状のチャックウォールラジアス３の接地面を水平面として、所定の高さ間隔で描いている。具体的には、第１パネル面２１からエンボス部９の底面９１までの距離を１．１ｍｍ±０．４ｍｍとしており、１．１ｍｍで、等高線間隔数を１７としている。
エンボス部９は、第２パネル面２２に所定深さで設けられるもので、平坦な底面９１と、底面９１を取り囲む内周壁９２とを備えている。底面９１の形状は、第２中心線Ｎに対して線対称の台形状で、パネル中心Ｏと反対側（パネル周縁側）の第１辺９１ａと、パネル中心Ｏ側の第２辺９１ｂと、第１辺９１ａの両端と第２辺９１ｂの両端を接続する一対の側辺９１ｃ、９１ｃとを有し、第１辺９１ａと側辺９１ｃ,９１ｃが円弧状に膨らみ、パネル中心Ｏ側の第２辺９１ｂは、第２中心線Ｎに対して直交する直線状となっている。また、第１辺９１ａと側辺９１ｃの角はアール形状となっている。
エンボス部９の内周壁９２は、上方に向かって拡がる方向に傾斜しており、パネル中心Ｏと反対側に位置する第１斜面９２ａと、缶蓋中心側の第２斜面９２ｂと、第１斜面９２ａの両端と第２斜面９２ｂの両端部を接続する側部斜面９２ｃ,９２ｃとを有している。
内周壁９２の外周縁の概略形状は、第１斜面９２ａの外周縁を扇の弧とし、第２斜面９２ｂの先端部を扇の中心とする扇形状を呈している。一対の側部斜面９２ｃ,９２ｃはパネル中心Ｏ側に向かって、第２中心線Ｎに対して線対称に、互いに徐々に近づく方向に傾斜している。
第１斜面９２ａと側部斜面９２ｃ，９２ｃは、上縁が第１パネル面２１まで続く傾斜面となっており、第２斜面９２ｂは、上縁が第２パネル面２２に続く傾斜面となっている。側部斜面９２ｃ，９２ｃから第２斜面９２ｂに移行する位置にて、段差部２２ｂが側部斜面９２ｃから分岐してディンプル３０を迂回するようになっている。この段差部２２ｂの迂回部２２ｂ１は、ディンプル３０のタブ１０と面する側の斜面領域３０ｂと連続し、ディンプル３０の斜面の一部を構成する。
【００１２】
一方、側部斜面９２ｃの下三分の二程度の部分は、第２斜面９２ｂに連なっている。
第２斜面９２ｂと段差部２２ｂとの分岐位置は、底面９１の直線状の第２辺９１ｂを通る仮想分岐線Ｌ付近であり、内周壁９２の内、仮想分岐線Ｌよりもパネル中心Ｏ側の領域を、第２斜面９２ｂとする。この第２斜面９２ｂの等高線は、第２パネル面２２から見て底面９１に向けて凹状の曲線となっており、第２中心線Ｎに沿った部分を谷底とする谷形状に窪んでいることを示している。
この第２斜面９２ｂは、パネル中心Ｏに向けて、少なくとも指掛かり部１３の裏面と対向する位置まで延びており、この実施形態では、第２斜面９２ｂ全体が、本発明の指先誘導用の誘導凹部を構成し、さらに、側部斜面９２ｃについても誘導凹部の一部を構成する。
【００１３】
次に、第２斜面９２ｂの起伏状態を等高線に即して説明する。
説明のために、底面９１の第２辺９１ｂの両端を通り第２中心線Ｎと平行な仮想線Ｋ，Ｋを引き、第２斜面９２ｂを、仮想線Ｋ，Ｋで挟まれる領域を中央領域９２ｂ１、仮想線Ｋ，Ｋに対して中央領域９２ｂ１と反対側に位置し側部斜面９２ｃ，９２ｃと接続される領域を移行領域９２ｂ２，９２ｂ２とする。
第２斜面９２ｂの外縁は、第２パネル面２２側から見た２番目の等高線ｂ１であり、２番目の等高線ｂ１より外側に位置する１番目の等高線ｂ０は、第２パネル面２２のわずかな傾斜を示すものである。
等高線ｂ１を含めて底面に向けて描かれた等高線をｂｎとすると、各等高線ｂｎは、中央領域９２ｂ１において、第２中心線Ｎに対して線対称で、パネル中心Ｏに向かって凸円弧状に湾曲する湾曲部ｂｎ１と、移行領域９２ｂ２において、湾曲部ｂｎ１の両端から側部斜面９２ｃ，９２ｃに向けて延びる斜線部ｂｎ２，ｂｎ２と、を有している。斜線部ｂｎ２，ｂｎ２は、第２中心線Ｎに対して線対称に、パネル中心Ｏに向かって間隔が狭くなる方向に傾斜して延びている。この斜線部ｂｎ２，ｂｎ２は僅かに外側（第２中心線Nに対して反対方向）に凸に湾曲しており、側部斜面９２ｃ，９２ｃの等高線ｃ２，ｃ２と滑らかに連続している。一方、斜線部ｂｎ２，ｂｎ２と湾曲部ｂｎ１との接続部も滑らかに連続しているが、等高線ｂ１においては、外側（第２中心線Ｎに対して反対方向）に凹円弧の接続部ｂ１３を介して滑らかに接続されている。
また、中央領域９２ｂ１における各等高線ｂｎの湾曲部ｂｎ１の間隔は、底面９１から所定高さまでは、ほぼ一定で、第２パネル面２２に近づくにつれて間隔が大きくなっている。底面側の湾曲部ｂｎ１間の間隔は、第１斜面９２ａ側の等高線の間隔の２倍程度と広くなっている。したがって、第２斜面９２ｂの第２中心線Ｎに沿う傾斜角度は、底面９１から所定高さまでは第１斜面９２ａの傾斜角度よりも小さい緩やかな一定角度の斜面となっており、さらに第２パネル面までは、傾斜角度が徐々に緩やかになり、第２パネル面２２に滑らかにつながる構成となっている。
この指掛かり部１３の後端１３ａ側に位置する第２斜面９２ｂの第２中心線Ｎに沿う傾斜角度は、底面９１に対して５°〜２２°の角度に設定することが好ましい。この傾斜角度は、図１（Ｂ）の断面図で示される第２斜面９２ｂの、底面９１からタブ１０に掛からない位置までの直線部分の角度である。
図２（Ｂ）乃至（Ｄ）は、第２斜面９２ｂを、第２中心線Ｎと直交方向に切断した断面図である。
図２（Ｄ）は、底面９１の第２辺９１ｂの位置で切断した切断面で、中央領域９２ｂ１が直線状で、移行領域９２ｂ２，９２ｂ２が直線的な傾斜辺となっている。この断面における第２斜面９２ｂの第２パネル面２２上の開口幅、移行領域９２ｂ２，９２ｂ２の傾斜辺の上端間の幅（第２中心線Ｎと直交方向の幅）Ｗｄが、第２斜面９２ｂの最大幅である。
図２（Ｃ）は、ディンプル３０の頂部３０ａの位置で切断した切断面であり、中央領域９２ｂ１が下方に僅かに湾曲する円弧形状で、第２パネル面２２からの深さは浅くなり、移行領域９２ｂ２，９２ｂ２が直線的な傾斜辺となっている。この断面における第２斜面９２ｂの第２パネル面側の開口幅、移行領域９２ｂ２，９２ｂ２の傾斜辺の上端間の幅（第２中心線Ｎと直交方向の幅）ＷｃはＷｄよりも狭くなっている。
図２（Ｂ）は、中央領域９２ｂ１の先端近くで切断した切断面である。この位置では、移行領域がなく、第２パネル面２２上の開口幅（第２中心線Ｎと直交方向の幅）ＷｂはＷｃよりも、さらに狭くなっている。
【００１４】
（ディンプル３０について）
ディンプル３０、３０は、第１パネル面２１に上方に突出するように設けられている。第１パネル面２１に設ければ、ディンプル３０を成形する際の板厚の低下量を抑えることができ、第2パネル面２２に設けるよりも成形性の観点で有利となる。また、過度な延伸によって、表面に被覆されている塗膜が損傷を受けることもない。
このディンプル３０，３０はタブ１０のコーナー部１３ｃ，１３ｃに近接して配置され、基本的には、缶同士の積み重ねの際の不意開口を防止のために設けられるものであるが、この実施形態では、指先の誘導機能を備えている。
すなわち、ディンプル３０，３０の頂部３０ａ,３０ａ間の、第２中心線Ｎと直交方向の間隔Ａを、１３ｍｍ±２ｍｍの範囲としている。頂部３０ａ,３０ａの間隔Ａは、頂部３０ａ,３０ａを最高点間の距離とする（図２（Ｃ）参照）。ディンプル３０，３０の形状は頂部が平らな台形状としてもよく、その場合には、頂面の周縁間の第２中心線Ｎと直交方向の最小距離とする。
このディンプル３０,３０の頂部３０ａ,３０ａ間の間隔Ａは、ＡＩＳＴ（国立研究開発法人産業技術総合研究所）監修、「日本人の手の寸法データ」の中の、第２指爪中央指幅Ｎ１２、男女平均（Ｍ+Ｆ）：１３．３ｍｍを基準に設定したものである。このデータは、爪のはえぎわから指先端までの中間位置における指の幅なので、本実施形態では、指先が中間位置よりも細いことを考慮して若干小さめに設定している。
このディンプル３０,３０の等高線について詳細に見ると、付け根部の平面形状が、３辺が外側に膨らんだ角丸の三角形状で、中腹が頂点に向かって徐々に円形状に移行し、ディンプル３０の頂部３０ａは、段差部２２ｂの迂回部２２ｂ１側に偏移し、タブ１０のコーナー部１３ｃに近接した配置となっている。このタブ１０のコーナー部１３ｃに面する斜面領域３０ｂは、段差部２２ｂの迂回部２２ｂ１に位置し、迂回部２２ｂ１がディンプル３０の斜面領域３０ｂと連続してディンプル３０の斜面の一部を構成し、第２パネル面２２側に拡がる迂回部２２ｂ１は、タブ１０のコーナー部１３ｃの裏面側に重なるように迫り出している。一方、ディンプル３０のエンボス部９の側部斜面９２ｃに面する斜面領域３０ｃは、エンボス部９の側部斜面９２ｃと連続する傾斜面となっている。
【００１５】
次に、図３及び図４を参照して、本実施形態の缶蓋の作用について説明する。
開口操作は、まず、指先をエンボス部９に入れ、タブ１０の指掛かり部１３の後端１３ａに指先を掛ける（図３（Ａ）、図４（Ａ）参照）。
ここで、図４（Ｄ）を参照して、指先がエンボス部９の底面から第２斜面９２ｂに誘導されるまでの側部斜面９２ｃ,９２ｃの作用について説明する。図中、側部斜面９２ｃ,９２ｃ及び側部斜面９２ｃ,９２ｃに連続するディンプル３０，３０の斜面領域３０ｃ，３０ｃについては、斜め格子状にハッチングを施し、側部斜面９２ｃ,９２ｃから連続する第２斜面９２ｂの移行領域９２ｂ２,９２ｂ２については、斜めのハッチングを施している。また、縦横の格子状にハッチングした部分は、図３（Ａ）の指先部分が底面９１に当接している当接部Ｓの領域を模式的に示している。
引き起こし初期段階では、当接部Ｓは、底面９１から第２斜面９２ｂに向かって移動するが、当接部Ｓが、たとえば、図中Ｓ１に示すように、第２中心線Ｎから一方の側部斜面９２ｃ側にずれていたとしても、側部斜面９２ｃがパネル中心に向かって第２中心線Ｎに近づく方向に傾斜しているので、側部斜面９２ｃによって、図中、矢印に示すように、第２中心線Ｎに近づく方向にズレが矯正されながら第２斜面９２ｂに向かって移動し、第２中心線Ｎに沿った方向、すなわちパネル中心Ｏに向かう方向に方向付けされ、さらに、第２斜面９２ｂに到達した後も、側部斜面９２ｃに連続する第２斜面９２ｂの移行領域９２ｂ２,９２ｂ２によって連続的に誘導される。
特に、この実施例では、側部斜面９２ｃに面するディンプル３０の斜面領域３０ｃが、エンボス部９の側部斜面９２ｃと連続する傾斜面となっており、指先の当接部Ｓだけでなく、指先の側面がディンプル３０,３０の斜面領域３０ｃ,３０ｃによって、第２中心線Ｎに対して離れる方向への移動が規制されるので、より効果的に、指先の移動方向を第２中心線Ｎに沿った方向に誘導することができる。
次いで、図３（Ｂ）に示すように、タブ１０を上方に引き起こす。引き起こし初期段階で、図３（Ｂ）,（Ｃ）に示すように、指先部分は、エンボス部９の底面９１から、谷形状の第２斜面９２ｂの中央領域９２ｂ１の傾斜面を、第２中心線Ｎに沿って指掛かり部１３の裏面の幅方向中央部に誘導される（図４(Ｂ),（Ｃ）参照）。すなわち、第２斜面９２ｂは中央領域９２ｂ１が左右の移行領域９２ｂ２，９２ｂ２よりも深い位置にあり、タブ１０からの指先に作用する引き起こし反力によって、指先は自動的に中央領域９２ｂ１の深い位置に誘導される。
また、第２斜面９２ｂを第２中心線Ｎに対して直交方向に切断した場合の、第２パネル面２２における第２斜面９２ｂの開口幅が、エンボス部９の底面９１側で広く、パネル中心Ｏに向かって徐々に狭くなっているので、指が自然と指掛かり部１３の裏面の幅方向中央部に誘導される。
さらに、第２斜面９２ｂの谷底となる中央領域９２ｂ１は、第２中心線Ｎに沿って、パネル中心Ｏに向かって、緩やかな傾斜面となっているので、指先が徐々に持ち上がるにつれて、タブ１０が引き起こされる。
特に、この実施形態では、ディンプル３０,３０の間隔Ａを１３ｍｍ程度としているので、第２斜面９２ｂによって指先が誘導される間、左右のディンプル３０,３０の間を通るので、指先が左右にぶれることなく、指掛け段階から指先が第２斜面９２ｂの中央領域９２ｂ１に誘導される。
このように、指掛かり部１３の後端に指を掛けて、タブ１０を引き起こす初期段階で、第２斜面９２ｂによって、第２中心線Ｎに沿って指先の軌道が指掛かり部１３の裏面の幅方向中央部に誘導されるので、後の引き起こし操作において、力の方向がパネル中心Ｏ方向から斜めに大きく外れることはなく、引き起こしの力を、タブ先端部１１を通じてリベット部７近傍のスコア始端部６ａに集中して作用させることができ、スコア６を破断させることができる。
【００１６】
次に、本実施形態のディンプル３０の不意開口防止及び成形性について説明する。
本発明の缶蓋は、陰圧缶と陽圧缶の両方に使用可能であり、陽圧缶に限定されるものではないが、不意開口防止について、条件が厳しい陽圧缶について、缶蓋のディンプル３０の高さを変えて、積み重ねた際の上位の缶底の脚部と、下位の缶蓋のタブとの引っ掛かりを検討したところ、０．５ｍｍより小さいと引掛りやすく、０．５ｍｍ以上になると引掛りが生じにくく、不意開口を防止することができることがわかった。
ディンプル３０の高さｈは、図１（Ｂ），（Ｃ）に示すように、第１パネル２１より一段低い第２パネル２２からの高さである。
このディンプル３０の高さは高いほど、上位の缶底の脚部と引掛りが生じにくくなるが、突出高さが１．２ｍｍを超えると、ディンプル３０の肉厚が薄くなって、亀裂が生じるおそれがある。鋭意検討した結果、不意開口防止の観点および成形性の観点から、０．５ｍｍ以上１．２ｍｍ以下とすることが好適であることがわかった。より好適には０．５ｍｍ以上１．２ｍｍ以下、さらに０．８ｍｍ以上で１．２ｍｍ以下とすることが好適である。
【００１７】
上記ディンプルの高さを検討するために、不意開口および成形性についての評価試験を行なった。以下に評価試験について説明する。
評価試験は、上記実施形態の缶蓋について、ディンプル３０の高さを変えた４種類の缶蓋サンプルを用意し、缶底の脚部形状が異なる２種類の缶本体に密封状態で陽圧となる内容物を充填し、缶蓋を巻締て固定して陽圧缶を製作し、不意開口性及び成形性について評価した。
まず、評価試験に使用した第１種の缶体２００と第２種の缶体３００について、図５を参照して説明する。図５（Ａ）は第１種の缶体２００、図５（Ｂ）は第２種の缶体３００であり、それぞれ２段に重ねた状態を示している。図において、缶蓋については、符号１００を付している。
第１種の缶体２００は、図５（Ａ）に示すように２ピース缶で、缶蓋１００は、胴部２０４の開口端に巻締固定され、巻締部２０５が形成されている。缶底２０１は、缶の内方に向かって凹状に窪んだドーム部２０２と、ドーム部２０２の外周縁から下方に突出する環状の第１形状の脚部２０３を有し、陽圧缶を上下に積み重ねた際に、上位の缶の缶底２０１の第１形状の脚部２０３が、下位の缶の缶蓋１００のタブ１０の指掛かり部１３に近接する位置に載置される。第１形状の脚部２０３の内周面２０３ａは、その径が缶の内方に向かって小径となる方向に傾斜する傾斜面となっている。また、この第１形状の脚部２０３の外周面２０３ｂは、上方に向かって徐々に拡径する方向に傾斜している。
【００１８】
第２種の缶体２００も、図５（Ｂ）に示すように２ピース缶で、缶蓋１００は、胴部３０４の開口端に巻締固定され、巻締部３０５が形成されている。缶底３０１も、図５（Ｂ）に示すように、缶の内方に向かって凹状に窪んだドーム部３０２と、ドーム部３０２の外周縁から下方に突出する環状の第２形状の脚部３０３を有し、缶を上下に積み重ねた際に、上位の缶の缶底３０１の第２形状の脚部３０３が、下位の缶の缶蓋１００のタブの指掛かり部に近接する位置に載置される。この第２形状の脚部３０３は、ボトムリフォーム形状と呼ばれている。この第２の缶体３００は、第２形状の脚部３０３の内周面３０３ａが、径方向方に向かって大径（拡がる方向）となる方向に傾斜する傾斜面となっており、第１種の缶体２００よりも、積み重ねた際に、上位の缶底３０１の第２形状の脚部３０３が、下部の缶体の缶蓋１００のタブにより引掛りやすい形状となっている。
【００１９】
次に、図６を参照して、第１種の缶体２００の第１形状の脚部２０３とタブ１０との引っ掛かり状態について説明する。
図６は、図５（Ａ）の第１の缶体２００の積載部分の要部拡大断面図であり、正常に積載されている状態の第１形状の脚部２０３を二点鎖線で、傾いた状態の第１形状の脚部２０３を実線で示している。断面はタブ１０のコーナー部１３ｃの位置で切断した図である。
正常に積載されている状態では、二点鎖線で示すように、第１形状の脚部２０３の断面円弧状の下端部２０３ｃが下位の缶の缶蓋１００の第１パネル面に接触し、また、第１形状の脚部２０３の外周面２０３ｂが下位の缶の巻締部２０５の上端に接触した状態で載置されている。
この状態で、上位の缶が傾くと、実線で示すように、第１形状の脚部２０３の外周面２０３ｂと巻締部２０５に乗り上げ、断面円弧状の下端部２０３ｃがディンプル３０に乗り上げ、指掛かり部１３のコーナー部１３ｃに接触する。この状態からさらに傾斜させると、脚部２０３がタブ１０を上方に持ち上げる方向に移動し、引掛りが強いと、てこ作用によって不意開口が生じることになる。
【００２０】
次に、図７を参照して、第１種の缶体２００の第１形状の脚部２０３とタブ１０との引っ掛かり状態について説明する。
図７は、図５（Ｂ）の第２の缶体３００の積載部分の要部拡大図であり、正常に積載されている状態の第１形状の脚部３０３を二点鎖線で、傾いた状態の第２形状の脚部３０３を実線で示している。断面はタブ１０のコーナー部１３ｃの位置で切断した図である。
正常に積載されている状態では、二点鎖線で示すように、第２形状の脚部３０３の断面円弧状の下端部３０３ｃが下位の缶の缶蓋１００の第１パネル面に接触し、また、第２形状の脚部３０３の外周面３０３ｂが下位の缶蓋の巻締部３０５の上端に接触した状態で載置されている。
この状態で、上位の缶が傾くと、実線で示すように、第２形状の脚部３０３の外周面３０３ｂと巻締部３０５に乗り上げ、断面円弧状の下端部３０３ｃがディンプル３０に乗り上げ、指掛かり部１３のコーナー部１３ｃに接触する。この状態からさらに傾斜させると、第２形状の脚部３０３がタブ１０を上方に持ち上げる方向に移動し、引掛りが強いと、てこ作用によって不意開口が生じることになる。第２形状の脚部３０３の内周面３０３ａが、缶の内方（上方）に向かって拡径する方向に傾いている分だけ、指掛かり部１３のコーナー部１３ｃに引っ掛かりやすい。
【００２１】
上記した４種類の缶蓋のディンプル３０の高さは、０．７ｍｍ、０．８ｍｍ、１．０ｍｍ、１．２ｍｍの４種類とした。
缶蓋１００の径は、５７．１５ｍｍ、板厚は０．２３５ｍｍであり、内圧は第１の缶体２００、第２の缶体３００共に、常温で、２００ｋＰａに設定した。
缶蓋１００は内圧によって外向きに膨らみ、タブ１０が第２パネル面２２から浮き上がり、この浮き上がった第２パネル面２２からの隙間が、２．３ｍｍ程度である。
【００２２】
＜缶底の脚部とタブとの引っかかりを確認する試験＞
試験は、内容物を充填した評価対象の缶体（陽圧）を、図５に示したように、上下２段に積み重ね、第１の缶体２００、第２の缶体３００について、缶底の脚部がタブに引っ掛かる方向に手で倒した際に、引っ掛かりの有無を相対的に評価し、評価結果を、◎、〇、△の３段階で評価した。評価段階は、次の通りである。
◎：缶底の脚部とタブとの引っかかりは無く、不意開口発生は無い。
○：缶底の脚部とタブとの引っかかりをごく僅かに感じるが、不意開口発生は無い
△：缶底の脚部とタブとの引っかかりを僅かに感じるが、不意開口発生は無い
＜ディンプル３０の部分的な板厚低下を確認する方法＞
ディンプル３０の断面形状により、部分的な板厚低下の有無を確認し、ディンプル３０の成形性を相対的に評価した。
◎：ディンプル３０の部分的な板厚低下がごく僅かにあるが、実用適性あり
△：ディンプル３０の部分的な板厚低下が僅かにあるが、実用適性あり
【００２３】
評価結果
不意開口について
表１に示す通り、第１種の缶体の缶底のサンプルでは、すべて“◎”で、引っ掛かりは全くなく、不意開口の発生も無かった。
第２種の缶体の缶底のサンプルでは、０．７ｍｍで“△”、０．８ｍｍで“〇”、１．０ｍｍ、１．２ｍｍでは“◎”で、引掛りも不意開口も無かった。
０．７ｍｍで僅かに当たる程度であり、０．５ｍｍ程度であれば、不意開口を防止できるものと思量される。
【００２４】
成形性について
表１に示すように、成形性については、０．７ｍｍ、０．８ｍｍ、１．０ｍｍでいずれかも“◎”で、板厚低下はごくわずかであり、実用上問題はなく、実用適性ありの評価であった。また、１．２ｍｍでは、板厚低下が僅かであり、実用適性ありの評価であった。
なお、上記実施形態では、エンボス部の指掛かり部の後端側の斜面は、前記缶蓋中心に向かって少なくとも前記指掛かり部の裏面の幅方向中央部と対向する位置まで延びる指先誘導用の誘導凹部を備えた構成となっているが、誘導凹部が無く、ディンプルだけを設けてよい。
一対のディンプルによって、指のタブ短辺方向の可動域が制限されるので、指先が指掛かり部の幅方向中央部に誘導され、タブの引き起こし方向を蓋中心方向に向けやすくなる。
【００２５】
【表１】
2019194237.tif 000003
【００２６】
なお、上記実施形態では、指掛かり部１３を直線状に形成しているが、指掛かり部１３の幅方向中央部を段差形状またはアーチ形状のチップアップ部を設けてよい。また、上記実施形態ではタブ１０に孔１４が設けられているが、孔１４が無くても良い。
また、センターパネル２を、第１パネル面２１と、第１パネル面よりも低い第２パネル面２２を有する構成としたが、第２パネル面２２が無くても良い。
また、センターパネルのパネル中心にリベット部７が設けられているが、リベット部７はパネル中心位置にある必要はなく、リベット部７が第２中心線上で、パネル中心からずれていてもよい。
【符号の説明】
【００２７】
１  缶蓋本体
２  センターパネル
２１  第１パネル面、２２  第２パネル面、
２２ｂ  段差部、２２ｂ１  迂回部
３  チャックウォールラジアス、４  チャックウォール、５  シーミングパネル
６  スコア、６ａ  スコア始端部、６ｂ  スコア終端部
７  リベット部、８    開口予定部
９  エンボス部、
９１  底面、９１ａ  第１辺、９１ｂ  第２辺、９１ｃ  側辺
９２  内周壁、９２ａ  第１斜面、９２ｂ  第２斜面、
９２ｂ１  中央領域、９２ｂ２  移行領域、
９２ｃ    側部斜面
１０  タブ、
１１  タブ先端部
１３  指掛かり部
１３ａ  後端、１３ｂ  裏面、１３ｃ  コーナー部、１４  孔
１６  側辺部、１７  カール部、
２０  扁平部（指掛かり部の裏面の幅方向中央部）
３０  ディンプル、３０ａ  頂部、３０ｂ,３０ｃ  斜面領域、
Ａ  ディンプルの間隔
Ｍ  第１中心線、Ｎ  第２中心線
Ｏ  パネル中心（蓋体中心）
Ｗｂ，Ｗｃ，Ｗｄ  第２斜面の幅
【図１】
2019194237.tif 000004
【図２】
2019194237.tif 000005
【図３】
2019194237.tif 000006
【図４】
2019194237.tif 000007
【図５】
2019194237.tif 000008
【図６】
2019194237.tif 000009
【図７】
2019194237.tif 000010
【国際調査報告】
2019194237.tif 000011
2019194237.tif 000012
2019194237.tif 000013